(57)【要約】      （修正有）【課題】非常にシンプルな構成でありながら、回転自在、着脱容易、さらにネックストラップの引っ張り力に対しても強いネックストラップ連結金具を提供する。【解決手段】Ｖ字形状部１−１と対向した位置に互いに交差し合う一対のねじれ部１−２を有した１本の金属棒で形成されたストラップ連結金具で、本体側取り付け部材の抜け止め形状よりも小さな環状形状部１−３を有し、本体側取り付け部材の軸部外径よりもねじれ部１−２が大きくなるように、弾性変形可能な寸法となっているストラップ連結金具。【選択図】図１
2016133681.tif 000002
【特許請求の範囲】
【請求項１】
Ｖ字形状部を有し、Ｖ字形状部と対向した位置にお互いが交差したねじれ形状部を有した一本の金属棒で形成されたことを特徴とするストラップ連結金具。
【請求項２】
本体側取り付け部材の抜け止め形状よりも小さな環状形状で形成され、本体側取り付け部材の軸部外径よりもねじれ形状部が弾性域で変形可能な寸法となっていることを特徴とする請求項１に記載のストラップ連結金具。
【請求項３】
請求項１に記載のストラップ連結金具をストラップのベルト部でねじれ部を覆い隠すように取り付けることを特徴とするストラップの取り付け方法。
【発明の詳細な説明】
【技術分野】
【０００１】
本発明は、カメラを吊り下げるストラップ、特に、首に掛けて使用するネックストラップ用の連結金具に関する。
【背景技術】
【０００２】
近年、カメラの使用用途拡大に伴い、ネックストラップには次のような機能が求められている。それは、カメラに対して回転自在であること、また、カメラからの着脱が容易であることである。
【０００３】
まず回転自在であることにより、カメラ使用者が首にネックストラップを掛けた状態のままハイアングルやローアングルの構図をネックストラップが張った状態のまま構えてもネックストラップが捩れないといった利点がある。この際、カメラ使用者がネックストラップを張った状態で構えられることで、撮影時のカメラ本体の手ブレを大幅に低減させることができ、カメラ使用者は安心して撮影に集中することができる。近年のデジタルカメラにおいては接眼ファインダーを覗かずに背面の液晶等の表示部を見ながらの撮影が多い為、特にニーズが高い。
【０００４】
次に、例えば料理の撮影など上から覗き込むような構図で撮影する際、ネックストラップを首にかけていないとネックストラップ自体が構図内に入り込んでしまうといったシチュエーションがある為、カメラからの着脱が容易であることがネックストラップに求められているのである。
【０００５】
そこで、従来のネックストラップ用の連結金具として、例えばストラップのベルト部を取り付ける連結金具にカメラ本体のストラップ取り付け部が挿入される穴がありその穴の脇に回転式の抜け止め部材を設けたものがある。カメラ使用者は回転式の抜け止め部材をストラップ取り付け部挿入穴から退避させることで、ストラップ取り付け部を挿入させ、回転式抜け止め部材を回転させることで挿入穴に抜け止め部材を侵入させカメラ本体にストラップ連結金具を取り付けるのである。これによりカメラ本体に対して回転自在にストラップが取り付くとともに、カメラ使用者は抜け止め部材を手持ちのコインなどで回転させることにより容易に着脱が可能となっている。
【０００６】
しかしながら、上述のようなストラップ用連結金具は回転式の抜け止め部にクリック用のバネや鋼球、さらに固定用のネジなどが必要なため、多くの部品がかかり結果的に大きなコストを必要としていた。
【０００７】
そこで、特許文献１にあるようなシンプルな構成のストラップ連結金具も提案されている。特許文献１によれば、金属棒で８の字形状に交差させ金属棒の互いに向かい合う端部にコイル状のスプリング部材を挿通する構成とすることで装着を容易に行うことができるとされている。
【０００８】
ところが、この構成の場合、ネックストラップが大きな力で引っ張られると、金属棒のベルト取り付け部が変形して広がってしまい、ベルトが連結金具から外れてしまうことが考えられる。
【先行技術文献】
【特許文献】
【０００９】
【特許文献１】特開２００４−２３７０１１号公報
【発明の概要】
【発明が解決しようとする課題】
【００１０】
そこで、本発明の目的は、非常にシンプルな構成でありながら、回転自在、着脱容易、さらにネックストラップの引っ張り力に対しても強いネックストラップ連結金具を提供することにある。
【課題を解決するための手段】
【００１１】
上記の目的を達成するために、本発明のストラップ連結金具は、略Ｖ字形状を有しＶ字形状と対向した位置に互いに交差し合う一対のねじれ部を有した１本の金属棒で形成されたことを特徴とする。
【発明の効果】
【００１２】
本発明によれば、非常にシンプルな構成でありながら、回転自在、着脱容易、さらにネックストラップの引っ張り力に対しても強いネックストラップ連結金具の提供を実現できる。
【図面の簡単な説明】
【００１３】
【図１】本発明に係るストラップ連結金具を示した図である。
【図２】本発明に係るストラップ連結金具が取り付くカメラ本体を示した図である。
【図３】本発明に係るストラップ連結金具をカメラ本体に取り付ける様子を示した図である。
【発明を実施するための形態】
【００１４】
以下、本発明を実施するための形態を図面に基づいて説明する。
【実施例】
【００１５】
図１は本発明に係るストラップ連結金具を示した図である。図２は本発明に係るストラップ連結金具が取り付くカメラ本体を示す。さらに図３は本発明に係るストラップ連結金具をカメラ本体に取り付ける様子を示している。
【００１６】
図１に示すように、ストラップ連結金具１は、Ｖ字形状部１−１を有しＶ字形状部と対向した位置に互いに交差し合うねじれ部１−２を有している。図２に示すようにカメラ本体側取り付け部２は軸形状部２−１と抜け止め形状部２−２とで構成されている。ここで、ストラップ連結金具の環状形状１−３はカメラ本体側取り付け部の抜け止め形状部２−２よりも小さく形成されている。また、ねじれ部１−２は弾性変形させて広げた場合の間隔がカメラ本体側取り付け部の軸形状部２−１の直径よりも大きくなるような寸法で形成されている。
【００１７】
図３に示すように、カメラ本体取り付け部の軸形状部に対してストラップ連結金具をねじれ部先端１−４を合わせて回転させることで取り付ける。その後、ネックストラップのベルト部３をねじれ部に合わせて通し、さらに止め輪部材４をねじれ部側へ移動させることでベルト部にたわみを無くして取り付けることができる。
【００１８】
ストラップ連結金具の環状形状がカメラ本体側取り付け部の抜け止め形状よりも小さくなっていることで、カメラ本体取り付け部からストラップ連結金具が外れることない。
【００１９】
更に、ストラップ連結金具のＶ字形状部とは対向した位置にねじれ部があり、その場所にネックストラップのベルト部があることでねじれ部先端部がベルトで覆われカメラ使用者が金属棒の先端に触れて怪我をするようなことを防いでいる。またＶ字形状部が常にカメラ本体側取り付け部の軸形状部に接するようになりカメラ本体側取付形状部に対して回転自在となる。
【００２０】
またベルト部からネックストラップを引っ張る強い力がストラップ連結金具に伝わった場合は、Ｖ字形状部と対向する位置のねじれ部が互いに離れる方向に力が働くが、ねじれ部はお互いに交差し合っていることから、初期状態の間隔以上離れることはない、即ちストラップ連結金具からネックストラップのベルト部が外れることは無い。
【符号の説明】
【００２１】
１  ストラップ連結金具、１−１  Ｖ字形状部、１−２  ねじれ部、
２  カメラ本体側取付部、２−１  軸形状部、２−２  抜け止め形状部、
３  ベルト部、４  止め輪部材
【図１】
2016133681.tif 000003
【図２】
2016133681.tif 000004
【図３】
2016133681.tif 000005